(57)【特許請求の範囲】
【請求項１】
複数の電話番号に対応させた複数の電話番号モードの中で選択された電話番号モードに対応する電話番号による通信を実行する携帯端末であって、
前記複数の電話番号モードのいずれかを選択する電話番号モード選択手段と、
前記通信以外の所定の処理で取り扱われ、前記複数の電話番号モードのいずれかに対応付けられた複数のデータが記憶されている記憶手段を参照する参照手段と、
前記通信の発信を行う際には、前記電話番号モード選択手段によって選択されている電話番号モードに対応する電話番号で発信を行う発信制御手段と、
前記複数のデータのいずれかのデータにアクセスする際には、前記参照手段による参照に基づいて、前記いずれかのデータが前記電話番号モード選択手段によって選択されている電話番号モードでアクセス可能か否かを判別する判別手段と、
前記判別手段による判別結果に基づいて、前記いずれかのデータへのアクセス可否を制御するアクセス制御手段と
を具備することを特徴とする携帯端末。
【請求項２】
前記複数のデータを前記記憶手段に記憶する際に、その時点で選択されている電話番号モードを前記複数のデータの各々に対応付けるモード対応付け手段を具備することを特徴とする請求項１記載の携帯端末。
【請求項３】
前記判別手段は、前記いずれかのデータに対応付けられた電話番号モードが前記電話番号モード選択手段によって選択されている電話番号モードに一致しない場合に、当該データに対するアクセスを禁止すると判別することを特徴とする請求項１記載の携帯端末。
【請求項４】
複数の電話番号に対応させた複数の電話番号モードの中で選択された電話番号モードに対応する電話番号による通信を実行する携帯端末であって、
前記複数の電話番号モードのいずれかを選択する電話番号モード選択手段と、
前記通信の発信を行う際には、前記電話番号モード選択手段によって選択されている電話番号モードに対応する電話番号で発信を行う発信制御手段と、
前記通信以外の所定の処理で取り扱われるデータを記憶手段に記憶する記憶制御手段と、
前記記憶制御手段によって記憶手段にデータを記憶する際には、前記電話番号モード選択手段によって選択された電話番号モードをデータに対応付けるモード対応付け手段と
を具備することを特徴とする携帯端末。
【請求項５】
コンピュータに、
複数の電話番号に対応させた複数の電話番号モードのいずれかを選択する電話番号モード選択機能、
通信以外の所定の処理で取り扱われ、前記複数の電話番号モードのいずれかに対応付けられた複数のデータが記憶されている記憶手段を参照する参照機能、
前記通信の発信を行う際には、前記電話番号モード選択機能によって選択されている電話番号モードに対応する電話番号で発信を行う発信制御機能、
前記複数のデータのいずれかのデータにアクセスする際には、前記参照機能による参照に基づいて、前記いずれかのデータが前記電話番号モード選択機能によって選択されている電話番号モードでアクセス可能か否かを判別する判別機能、
前記判別機能による判別結果に基づいて、前記いずれかのデータへのアクセス可否を制御するアクセス制御機能
を実現することを特徴とするデータアクセス制御プログラム。
【請求項６】
コンピュータに、
複数の電話番号に対応させた複数の電話番号モードのいずれかを選択する電話番号モード選択機能、
前記通信の発信を行う際には、前記電話番号モード選択機能によって選択されている電話番号モードに対応する電話番号で発信を行う発信制御機能、
前記通信以外の所定の処理で取り扱われるデータを記憶手段に記憶する記憶制御機能、
前記記憶制御機能によって記憶手段にデータを記憶する際には、前記電話番号モード選択機能によって選択された電話番号モードをデータに対応付けるモード対応付け機能
を実現することを特徴とするデータ記憶制御プログラム。
【発明の詳細な説明】
【技術分野】
【０００１】
本発明は、通信を始めとする様々な機能を実行する携帯端末、動作制御プログラムおよびデータアクセス制御プログラムに関する。
【背景技術】
【０００２】
近年、携帯電話には、通話を始めとする通信機能（電話、メール送受信機能）以外の機能、例えば、カメラ機能や音楽再生機能、テレビ受信機能、電子マネー機能などの各種機能が付加されてきており、その機能の多様さには目を見張るものがある。通常、その各機能を全て利用可能な状態になっているが、特定の制限機能を動作させることにより、一部もしくは全ての機能の動作を制限することができるようになっている。
【０００３】
例えば、複数の電話番号を備え、電話番号毎に通話制限条件（地域、日時、相手電話番号）を設け、この通話制限条件を超えての通話に制限を設ける技術や（例えば、特許文献１参照）、例えば、電子マネー機能ではパスワード照合で一致した場合にのみ使えるようにする技術、あるいは盗難状態を検出して全機能を使えなくする技術（例えば、特許文献２参照）などがある。
【特許文献１】特開平８−１６７９３６号公報
【特許文献２】特開２００５−３３３１８４号公報
【発明の開示】
【発明が解決しようとする課題】
【０００４】
上述した特定の制限機能は、ユーザの意志や、特定の信号の受信有無に応じて動作するものであるが、制限機能を動作させない場合には、その携帯電話が社用で使用されている場合であっても、すなわち仕事時間帯に使用されている場合であっても、仕事とは直接関係のない機能、例えば、カメラ機能や、音楽再生機能、さらにはテレビ受信機能が使用し得ることになり、公私混同の元になることから好ましいものではない。
【０００５】
また、携帯電話に備えられるカメラ機能であっても、そのカメラ機能を公用で使用することもあり得る。この場合、その撮影が公用で撮影されたのか、私用で撮影されたのかを区別することができない。このため、公用で撮影され、記憶された撮影画像ファイルを、会社で利用するために参照しようとした場合であっても、私用で撮影した撮影画像ファイルと混在してしまうため、使い難く、また公私混同の元になるという問題があった。
【０００６】
同様のことは、文書作成機能において、会社への報告書として作成したファイルや、会社からダウンロードしたファイル（公用の文書、表など）に対しても言えることで、携帯電話を私用で使っているときであっても、会社のファイルを簡単に開くことができてしまうなど、セキュリティ上の問題を抱えている。
【０００７】
そこで本発明は、携帯端末に備えられている複数の処理機能、または記憶されている多数のファイルを、公用と私用とで自動的に使い分けることができる携帯端末およびを提供することを目的とする。
【課題を解決するための手段】
【００１０】
また、好ましい態様として、例えば請求項３記載のように、請求項１または２記載の携帯端末において、前記複数の処理手段の一覧を選択可能に表示する表示手段と、前記複数の処理手段の各々の実行の可否を、ぞれぞれの処理手段が選択可能であるか否かを示す選択可否情報として識別可能に前記表示手段に表示する表示制御手段とを具備するようにしてもよい。
【００１３】
また、上記目的達成のため、請求項１記載の発明は、複数の電話番号に対応させた複数の電話番号モードの中で選択された電話番号モードに対応する電話番号による通信を実行する携帯端末であって、前記複数の電話番号モードのいずれかを選択する電話番号モード選択手段と、前記通信以外の所定の処理で取り扱われ、前記複数の電話番号モードのいずれかに対応付けられた複数のデータが記憶されている記憶手段を参照する参照手段と、前記通信の発信を行う際には、前記電話番号モード選択手段によって選択されている電話番号モードに対応する電話番号で発信を行う発信制御手段と、前記複数のデータのいずれかのデータにアクセスする際には、前記参照手段による参照に基づいて、前記いずれかのデータが前記電話番号モード選択手段によって選択されている電話番号モードでアクセス可能か否かを判別する判別手段と、前記判別手段による判別結果に基づいて、前記いずれかのデータへのアクセス可否を制御するアクセス制御手段とを具備することを特徴とする。
【００１４】
また、好ましい態様として、例えば請求項２記載のように、請求項１記載の携帯端末において、前記複数のデータを前記記憶手段に記憶する際に、その時点で選択されている電話番号モードを前記複数のデータの各々に対応付けるモード対応付け手段を具備するようにしてもよい。
【００１５】
また、好ましい態様として、例えば請求項３記載のように、請求項１記載の携帯端末において、前記判別手段は、前記いずれかのデータに対応付けられた電話番号モードが前記電話番号モード選択手段によって選択されている電話番号モードに一致しない場合に、当該データに対するアクセスを禁止すると判別するようにしてもよい。
また、上記目的達成のため、請求項４記載の発明は、複数の電話番号に対応させた複数の電話番号モードの中で選択された電話番号モードに対応する電話番号による通信を実行する携帯端末であって、前記複数の電話番号モードのいずれかを選択する電話番号モード選択手段と、前記通信の発信を行う際には、前記電話番号モード選択手段によって選択されている電話番号モードに対応する電話番号で発信を行う発信制御手段と、前記通信以外の所定の処理で取り扱われるデータを記憶手段に記憶する記憶制御手段と、前記記憶制御手段によって記憶手段にデータを記憶する際には、前記電話番号モード選択手段によって選択された電話番号モードをデータに対応付けるモード対応付け手段とを具備することを特徴とする。
また、上記目的達成のため、請求項５記載の発明は、コンピュータに、複数の電話番号に対応させた複数の電話番号モードのいずれかを選択する電話番号モード選択機能、通信以外の所定の処理で取り扱われ、前記複数の電話番号モードのいずれかに対応付けられた複数のデータが記憶されている記憶手段を参照する参照機能、前記通信の発信を行う際には、前記電話番号モード選択機能によって選択されている電話番号モードに対応する電話番号で発信を行う発信制御機能、前記複数のデータのいずれかのデータにアクセスする際には、前記参照機能による参照に基づいて、前記いずれかのデータが前記電話番号モード選択機能によって選択されている電話番号モードでアクセス可能か否かを判別する判別機能、前記判別機能による判別結果に基づいて、前記いずれかのデータへのアクセス可否を制御するアクセス制御機能を実現することを特徴とする。
また、上記目的達成のため、請求項６記載の発明は、コンピュータに、複数の電話番号に対応させた複数の電話番号モードのいずれかを選択する電話番号モード選択機能、前記通信の発信を行う際には、前記電話番号モード選択機能によって選択されている電話番号モードに対応する電話番号で発信を行う発信制御機能、前記通信以外の所定の処理で取り扱われるデータを記憶手段に記憶する記憶制御機能、前記記憶制御機能によって記憶手段にデータを記憶する際には、前記電話番号モード選択機能によって選択された電話番号モードをデータに対応付けるモード対応付け機能を実現することを特徴とする。
【発明の効果】
【００１６】
本発明によれば、通信以外の所定の処理を複数の処理手段によって実行する際に、電話番号モードに応じて自動的に使い分けることができるという利点が得られる。
【００２１】
また、本発明によれば、複数のデータの各々に対してアクセスする際に、電話番号モードに応じて自動的にアクセスすることができるという利点が得られる。
【発明を実施するための最良の形態】
【００２４】
以下、本発明の実施の形態を、図面を参照して説明する。
【００２５】
Ａ．実施形態の構成
図１は、本発明の実施形態による携帯電話の構成を示すブロック図である。図において、通信部１は、図示しない無線基地局を介して、発着信を制御して通話やデータ通信などを行う。テレビ受信部２は、アンテナによって受信された放送信号（ワンセグ）から、所望のチャンネルに対応したテレビ信号を受信するとともに、ラジオ放送を受信する。カメラ撮影部３は、光学系（レンズ等）を介してＣＣＤなどの撮像素子に結像した映像を取り込む。キー操作部４は、電話番号その他の情報を入力する入力部であり、携帯電話１００の電源をＯＮ／ＯＦＦするとき、各種アプリケーションを起動するとき、カメラ撮影部３による撮影を指示するときなど、ユーザが携帯電話に入力を与える際に使用する。
【００２６】
ＧＰＳ部５は、複数の人工衛星からの電波を受信し、その受信時間差に従って、自身の現在位置（緯度、経度など）を取得する。非接触ＩＣ部６は、図２に示すように、会社などへの出社、退社時にゲート２００に近接すると起動し、該ゲート２００を通過したことを検知する。後述するＣＰＵ１３は、外部から会社内に入ったことが検知された場合には、出社したと判断して当該携帯電話１００を公用モードとし、内部から会社外へ出たことが検知された場合には、退社したと判断して当該携帯電話１００を私用モードとするようになっている。このとき、個人認証も行われる。
【００２７】
なお、上記ＧＰＳ部５は、上記非接触ＩＣ部６の代わり、もしくは併用して用いてもよい。例えば、非接触ＩＣ部６が利用できないような仕事上の外出先や、出張先などの場所の位置情報を予め登録しておくことにより、ＧＰＳ部５により取得した現在位置と登録しておいた位置情報とを比較し、公用の場所にいると判断される場合には、公用モードを選択すればよい。
【００２８】
表示部７は、例えば、ＬＣＤ（Liquid Crystal
Display）や有機ＥＬ（Electroluminescence）等で構成され、例えば、電源状態、電波強度、電池残量、サーバ接続状態もしくは未読メール等の動作状態、入力した電話番号、メール宛先、メール送信文書等や、動画および静止画、着信時の発呼者の電話番号、着信メール文書、接続されたインターネット画面等の受信データの表示、また、携帯電話１００の機能を利用するために必要な画面を表示する。
【００２９】
スピーカ８は、テレビ信号に含まれる音声データや、音楽データ、通話時における相手の音声などを出力する。マイク９は、通話時におけるユーザの音声を入力する。ＲＯＭ１０は、上記所定のプログラムや各種パラメータなどを記憶する。また、該ＲＯＭ１０には、図３に示すように、少なくとも２つの電話番号が記憶されている。１つは、公用モードで用いられる電話番号（例えば、０９０−ＸＸＸ−ＸＸＸＸ）であり、他の１つは、私用モードで用いられる電話番号（例えば、０８０−ＸＸＸ−ＸＸＸＸ）である。
【００３０】
ＲＡＭ１１は、カメラ撮影部部３により撮影された撮影画像データや、文書作成機能により作成されたり、通信部１によりネットワークを介してダウンロードされたり、パーソナルコンピュータなどから転送された文書データ、音楽データなどの各情報を記憶する。該ＲＡＭ１１には、図４に示すように、記憶するデータ種別毎に、データを管理するためのフォルダが設けられている。図示の例では、カメラフォルダＦ１、音楽フォルダＦ２、文書フォルダＦ３、動画フォルダＦ４、静止画フォルダＦ５が設けられている。
【００３１】
また、カメラフォルダＦ１には、公用のフォルダＦ１−１と私用のフォルダＦ１−２とが設けられており、当該携帯電話１００が公用モードのときには、撮影した画像データを公用のフォルダＦ１−１に格納するとともに、該公用のフォルダＦ１−１に保存されている画像ファイルを読み出すことができ、私用モードのときには、撮影した画像データを私用のフォルダＦ１−２に格納するとともに、該私用のフォルダＦ１−２に保存されている画像ファイルを読み出すことができるようになっている。
【００３２】
また、音楽フォルダＦ２、文書フォルダＦ３、動画フォルダＦ４、静止画フォルダＦ５に保存されるファイルには、データダウンロード後に、その時点における電話番号モード、すなわち公用モードか私用モードを示すモード識別子が付加されて格納されるようになっている。これらフォルダに格納されたデータを読み出す際には、付加されているモード識別子がその時点の電話番号モードに一致する場合にのみ読み出すことが可能となっている。記録メディア１２は、例えば、着脱可能なｍｉｎｉＳＤカードなどからなり、上記ＲＡＭ１１と同様に管理され、各種データが記憶されてもよく、ＲＡＭ１１と同等に取り扱うことが可能である。
【００３３】
また、本実施形態では、上記各種データを処理するために、それぞれのデータ形式に対応した複数のアプリケーションをＲＯＭ１０またはＲＡＭ１１に記憶している。各アプリケーションには、公用モード、私用モードのどちらの電話番号モードで使用可能であるかを示す有効モードが予め付加されている。該有効モードは、起動すべきアプリケーションを選択されるためのアプリケーションメニューを表示させる際に、現在の電話番号モードにおいて、どのアプリケーションが利用可能であるかをユーザに識別可能に表示するために用いられる。
【００３４】
ＣＰＵ１３は、携帯電話１００の動作を所定のプログラムに従って制御する。特に、本実施形態では、非接触ＩＣ部６の検知信号に従った電話番号モード（公用モードまたは私用モード）の切り替え制御、電話番号モードに応じたアプリケーションメニューの表示制御、アプリケーションの起動制御および動作制御、上記各フォルダに格納した各種ファイルの読み出し制御、カメラ撮影部３の動作制御、通信部１による各種ファイルのダウンロード動作制御などを行う。
【００３５】
Ｂ．実施形態の動作
Ｂ−１．メイン動作
次に、上述した実施形態のメイン動作について説明する。ここで、図５ないし図７は、本実施形態による携帯電話１００の動作を説明するためのフローチャートである。まず、ＲＯＭ１０から私用モード、公用モードのそれぞれの電話番号を読み出し（ステップＳ１０）、各電話番号の位置登録を行った後、待受け状態に移行する（ステップＳ１２）。次に、私用モードをデフォルトとして選択し（ステップＳ１４）、通信部１において着信があったか否かを判断する（ステップＳ１６）。
【００３６】
そして、私用モードの電話番号に着信があった場合には、通常の着信対応処理を行い（ステップＳ１８）、その後、通信部１により通話処理を行う（ステップＳ２４）。そして、通話が終了したか否かを判断し（ステップＳ２６）、通話が終了していなければ、ステップＳ２４に戻り、通話を継続する。一方、通話が終了した場合には、ステップＳ１６に戻り、再び、通信部１により着信の有無を判断する。
【００３７】
一方、着信がない場合には、発信（操作）があったか否かを判断する（ステップＳ２０）。そして、発信（操作）があった場合には、現在選択されている電話番号モード（この場合、私用モード）に対応する電話番号で発信を行う（ステップＳ２２）。次に、相手と接続されると、通信部１により通話処理を行う（ステップＳ２４）。そして、通話が終了したか否かを判断し（ステップＳ２６）、通話が終了していなければ、ステップＳ２４に戻り、通話を継続する。一方、通話が終了した場合には、ステップＳ１６に戻り、再び、着信の有無を判断する。
【００３８】
また、着信も発信がなかった場合には、非接触ＩＣ部６が起動したか否かを判断する（ステップＳ２８）。そして、非接触ＩＣ部６が起動した場合には、会社ＩＤを受け付けたか否かを判断し（ステップＳ３０）、会社ＩＤを受け付けた場合には、出社信号であるか否かを判断する（ステップＳ３２）。そして、出社信号であった場合には、公用モードを選択し（ステップＳ３４）、ステップＳ１６に戻り、上述した処理を繰り返す。
【００３９】
一方、出社信号でない場合には、退社信号であるか否かを判断する（ステップＳ３６）。そして、退社信号であった場合には、私用モードを選択し（ステップＳ３８）、ステップＳ１６に戻り、上述した処理を繰り返す。また、会社ＩＤを受け付けなかった場合には、適宜、他の処理を行い（ステップＳ４０）、ステップＳ１６に戻り、上述した処理を繰り返す。
【００４０】
また、通信部１による発着信も、非接触ＩＣ部６の起動もなかった場合には、キー操作部４に何らかの操作があったか否かを判断し（ステップＳ４２）、何も操作がなかった場合には、ステップＳ１６に戻り、上述した処理を繰り返す。一方、何らかの操作があった場合には、アプリケーションメニュー指示であるか否かを判断する（ステップＳ４４）。そして、アプリケーションメニュー指示操作であった場合には、現在選択されている電話番号モード（私用モードまたは公用モードのいずれか）に対応する有効モードが付加されているアプリケーションを抽出する（ステップＳ４６）。
【００４１】
次に、抽出したアプリケーションと他のアプリケーションとを識別し、図１０（ａ）または図１０（ｂ）に示すように、当該電話番号モードで使用可能なアプリケーションと使用不可のアプリケーションとが分かるように、表示部７にアプリケーションメニューを表示する（ステップＳ４８）。図１０（ａ）には、公用モードのときに表示されるアプリケーションメニューを示している。図示の例では、カメラ、電子マネー、ラジオ、文書作成に係るアプリケーションが利用可能であり、ブラウザ、メール、音楽再生、ＴＶ視聴に係るアプリケーションが利用不可となっている。
【００４２】
また、図１０（ｂ）には、私用モードのときに表示されるアプリケーションメニューを示している。図示の例では、カメラ、ブラウザ、メール、音楽再生、ＴＶ視聴、ラジオに係るアプリケーションが利用可能であり、電子マネー、文書作成に係るアプリケーションが利用不可となっている。いずれの場合も、使用可能なアプリケーションを通常表示し、それ以外の使用不可のアプリケーションを反転表示、またはグレー表示としている。その後、ステップＳ１６に戻り、上述した処理を繰り返す。
【００４３】
一方、アプリケーションメニュー指示操作がなかった場合には、アプリケーションの選択操作があったか否かを判断する（ステップＳ５０）。そして、アプリケーションメニューが表示された状態で、該アプリケーションメニューからいずれかのアプリケーションが選択されると、選択されたアプリケーションの有効モードを読み出す（ステップＳ５２）。
【００４４】
次に、現在選択されている電話番号モード（私用モードまたは公用モードのいずれか）と上記アプリケーションの有効モードとが一致するか否かを判断し（ステップＳ５４）、一致しない場合には、図１０（ｃ）に示すように、アプリケーションの起動が不可である旨を知らせるメッセージを表示し（ステップＳ５６）、ステップＳ１６に戻り、上述した処理を繰り返す。
【００４５】
一方、現在選択されている電話番号モード（私用モードまたは公用モードのいずれか）と上記アプリケーションの有効モードとが一致した場合には、選択されたアプリケーションを起動し（ステップＳ５８）、アプリケーションによる処理を行う（ステップＳ６０）。その後、ステップＳ１６に戻り、上述した処理を繰り返す。なお、アプリケーションによる処理の例については後述する。
【００４６】
また、発着信も、非接触ＩＣ部６の起動もなく、さらに、アプリケーションメニュー指示操作やアプリケーション選択操作以外の操作があった場合には、ファイルフォルダの選択操作があったか否かを判断する（ステップＳ６２）。なお、通常、ファイルフォルダの選択操作は、選択されたいずれかのアプリケーションが前もって起動しているものとする。
【００４７】
そして、ファイルフォルダの選択操作があった場合には、カメラフォルダＦ１が選択されたか否かを判断し（ステップＳ６４）、カメラフォルダＦ１が選択された場合には、現在選択されている電話番号モード（私用モードまたは公用モードのいずれか）に対応するフォルダ（私用か公用か）を選択する（ステップＳ６６）。すなわち、公用モードであれば、公用のフォルダＦ１−１が選択され、私用モードであれば、私用のフォルダＦ１−２が選択される。
【００４８】
次に、選択したフォルダ内の各画像ファイルのサムネイルを表示する（ステップＳ６８）。次に、ユーザがサムネイルのいずれかを選択すると（ステップＳ７０）、選択されたサムネイルの元画像を表示部７の表示サイズに調整して表示する（ステップＳ７２）。画像表示においては、ユーザによる戻る指示があったか否かを判断し（ステップＳ７４）、戻る指示があった場合には、ステップＳ６８に戻り、該フォルダ内のサムネイルを再表示し、以降、上述した元画像の表示処理を行う。
【００４９】
また、戻る指示がない場合には、終了指示があったか否かを判断する（ステップＳ７６）。そして、終了指示がない場合には、ステップＳ７２に戻り、元画像の表示を継続する。一方、終了指示があった場合には、画像表示を終了し、図５に示すステップＳ１６に戻り、上述した処理を繰り返す。
【００５０】
一方、カメラフォルダ以外のフォルダが選択された場合には、選択されたフォルダ内のファイルリストを表示する（ステップＳ７８）。次に、ユーザがファイルのいずれかを選択すると（ステップＳ８０）、選択されたファイルにモード識別子があるか否かを判断する（ステップＳ８２）。そして、選択されたファイルにモード識別子があった場合には、該モード識別子が現在選択されている電話番号モード（私用モードまたは公用モード）に一致するか否かを判断する（ステップＳ８４）。
【００５１】
そして、双方のモードが一致した場合には、その選択されたファイルをオープンし（ステップＳ８６）、予め起動していたアプリケーションにより該ファイルに対して所定の処理を行う（ステップＳ８８）。その後、アプリケーションが終了すると、図５に示すステップＳ１６に戻り、上述した処理を繰り返す。
【００５２】
一方、双方のモードが一致しない場合には、ファイルオープンが不可である旨のメッセージを表示し（ステップＳ９０）、図５に示すステップＳ１６に戻り、上述した処理を繰り返す。すなわち、電話番号モードが私用モードであった場合には、私用のファイルだけをオープンして処理を行うことができ、公用のファイルをオープンして処理を行うことはできない。同様に、電話番号モードが公用モードであった場合には、公用のファイルだけをオープンして処理を行うことができ、私用のファイルをオープンして処理を行うことはできない。
【００５３】
また、選択されたファイルにモード識別子がなかった場合には、特に制限が設けられていないので、そのままその選択されたファイルをオープンし（ステップＳ８６）、該ファイルに対して所定の処理を行う（ステップＳ８８）。その後、図５に示すステップＳ１６に戻り、上述した処理を繰り返す。
【００５４】
一方、発着信も、非接触ＩＣの起動もなく、さらに、アプリケーションメニュー指示操作やアプリケーション選択操作以外の操作があった場合でも、ファイルフォルダの選択がなかった場合には、適宜、その他の処理を行い（ステップＳ９２）、その後、アプリケーションが終了すると、図５に示すステップＳ１６に戻り、上述した処理を繰り返す。
【００５５】
Ｂ−２．カメラアプリケーション
次に、本実施形態による携帯電話のカメラアプリケーションの動作について説明する。図８は、本実施形態によるカメラアプリケーションの動作を説明するためのフローチャートである。カメラアプリケーションが起動されると、まず、カメラ撮影部３をオン状態とし（ステップＳ１００）、表示部７に撮影されている画像をスルー表示する（ステップＳ１０２）。
【００５６】
次に、キー操作部４のシャッタが操作された否かを判断し（ステップＳ１０４）、シャッタが操作されると、カメラ撮影部３により画像を撮影し（ステップＳ１０６）、撮影した画像を所定のフォーマットで圧縮してファイル化し（ステップＳ１０６）、現在選択されている電話番号モード（公用モードまたは私用モード）に対応するカメラフォルダに保存する（ステップＳ１１０）。すなわち、画像データは、現在、公用モードであれば、公用のフォルダＦ１−１に保存され、私用モードであれば、私用のフォルダＦ１−２に保存されることになる。
【００５７】
一方、シャッタ操作がない場合には、キー操作部４から終了操作が行われた否かを判断し（ステップＳ１１２）、終了操作が行われた場合には、当該処理を終了し、図５に示すステップＳ１６に戻り、上述した処理を繰り返す。また、シャッタ操作も、終了操作もない場合には、他の操作が行われたか否かを判断し（ステップＳ１１４）、他の操作が行われた場合には、その操作に対応する処理を行い（ステップＳ１１６）、ステップＳ１０２に戻り、スルー表示以降の処理を継続する。一方、シャッタ操作、終了操作、他の操作もない場合には、何もせずにステップＳ１０２に戻り、スルー表示以降の処理を継続する。
【００５８】
Ｂ−３．データダウンロード
次に、本実施形態による携帯電話のデータダウンロードの動作について説明する。図９は、本実施形態によるデータダウンロードの動作を説明するためのフローチャートである。データダウロードのアプリケーションが起動されると、通信部１をオン状態としてネットワーク上の所定のサーバなどからファイルデータをダウンロードする（ステップＳ１２０）。次に、現在選択されている電話番号モードのモード識別子をダウンロードしたファイルに付加する（ステップＳ１２２）。すなわち、現在、私用モードであれば、私用のモード識別子を付加し、公用モードであれば、公用のモード識別子を付加する。その後、ファイル種類に対応したフォルダ（音楽フォルダＦ２、文書フォルダＦ３、動画フォルダＦ４、静止画フォルダＦ５など）に保存する（ステップＳ１２４）。
【００５９】
上述した実施形態によれば、携帯端末１００に備えられている複数の処理機能を、通信用として現在選択されている電話番号モードに応じて、個別に機能制限をかけられるようにしたので、携帯端末１００に備えられている多様な処理機能を、公用と私用とで使い分けられる電話番号モードの選択状況に応じて自動的に使い分けることができる。
【００６０】
また、携帯端末１００に記憶された複数のファイルを、通信用として現在選択されている電話番号モードに応じて個別にアクセス制限をかけるようにしたので、携帯端末１００に記憶されている多数のファイルを、公用と私用とで使い分けられる電話番号モードの選択状況に応じて自動的に使い分けることができる。
【００６１】
なお、上述した実施形態では、アプリケーションに付加されている有効モードに従って、現在選択されている電話番号モードで使用可能なアプリケーションであるか、使用不可のアプリケーションであるかを明示するようにしたが、これに限らず、アプリケーションに付加されている有効モードに従って、その時点で選択されている電話番号モードで利用制限のないアプリケーションのみを抽出し、その抽出されたアプリケーションを選択可能な処理機能として表示するようにしてもよい。これにより、抽出されない他のアプリケーション、すなわち現在の電話番号モードに対応していないアプリケーションは表示されることがないので、ユーザによって選択可能なアプリケーションをより明確にすることができる。
【図面の簡単な説明】
【００６２】
【図１】本発明の実施形態による携帯電話の構成を示すブロック図である。
【図２】本実施形態による携帯電話の公用モードと私用モードとの切り替え例を示す概念図である。
【図３】本実施形態による携帯電話での公用と私用とで使い分けられる電話番号を示す概念図である。
【図４】本実施形態による携帯電話でのデータ管理方法について説明するための概念図である。
【図５】本実施形態による携帯電話１００の動作を説明するためのフローチャートである。
【図６】本実施形態による携帯電話１００の動作を説明するためのフローチャートである。
【図７】本実施形態による携帯電話１００の動作を説明するためのフローチャートである。
【図８】本実施形態によるカメラアプリケーションの動作を説明するためのフローチャートである。
【図９】本実施形態によるデータダウンロードの動作を説明するためのフローチャートである。
【図１０】本実施形態による携帯電話１００でのアプリケーションメニューの表示例およびメッセージの一例を示す模式図である。
【符号の説明】
【００６３】
１  通信部
２  テレビ受信部
３  カメラ撮影部
４  キー操作部
５  ＧＰＳ部
６  非接触ＩＣ部
７  表示部
８  スピーカ
９  マイク
１０  ＲＯＭ
１１  ＲＡＭ
１２  記録メディア
１３  ＣＰＵ
１００  携帯電話
２００  ゲート
【図１】
0004593492.tif 000002
【図２】
0004593492.tif 000003
【図３】
0004593492.tif 000004
【図４】
0004593492.tif 000005
【図５】
0004593492.tif 000006
【図６】
0004593492.tif 000007
【図７】
0004593492.tif 000008
【図８】
0004593492.tif 000009
【図９】
0004593492.tif 000010
【図１０】
0004593492.tif 000011